(57)【要約】【課題】表示部の配置自由度を向上するとともに、表示項目の増加を図ることができる現金処理システムを提供する。【解決手段】貨幣処理機１が複数のテラーＬＴ，ＲＴによって共用可能であるとともに、これらテラーＬＴ，ＲＴに択一的に占有される状態が生じる現金処理システムにおいて、貨幣処理機１は一つの表示パネル５１を備え、この表示パネル５１は占有するテラーの位置からは占有するテラー用の表示が視認可能であり、占有しないテラーの位置からは占有しないテラー用の表示が視認可能に構成されていることを特徴とする。【選択図】図１
2008083907.tif 000002
【特許請求の範囲】
【請求項１】
２台の操作卓と１台の現金処理機とを備え、前記現金処理機が複数のテラーによって共用可能であるとともに、これらテラーに択一的に占有される状態が生じる現金処理システムにおいて、前記現金処理機は一つの表示部を備え、該表示部は占有するテラーの位置からは占有するテラー用の表示が視認可能であり、占有しないテラーの位置からは占有しないテラー用の表示が視認可能に構成されていることを特徴とする現金処理システム。
【請求項２】
２台の操作卓と１台の表示部と１台の現金処理機とを備え、前記現金処理機が複数のテラーによって共用可能であるとともに、これらテラーに択一的に占有される状態が生じる現金処理システムにおいて、前記表示部は、占有するテラーの位置からは占有するテラー用の表示が視認可能であるとともに、占有しないテラーの位置からは占有しないテラー用の表示が視認可能に構成されていることを特徴とする現金処理システム。
【請求項３】
２台の操作制御部と１台の取引表示部と１台の現金処理機とを備え、前記現金処理機が複数のテラーによって共用可能であるとともに、これらテラーに択一的に占有される状態が生じる現金処理システムであって、前記取引表示部は、右テラーの位置からは当該右テラー用の取引表示が視認可能であるとともに、左テラーの位置からは当該左テラー用の取引表示が視認可能に構成されていることを特徴とする現金処理システム。
【請求項４】
２台の操作制御部と１台の取引表示部と１台の現金処理機とを備え、前記現金処理機が複数のテラーによって共用可能であるとともに、これらテラーに択一的に占有される状態が生じる現金処理システムであって、前記取引表示部は、右テラーの位置からは当該右テラー用の取引表示が視認可能であるとともに、左テラーの位置からは当該左テラー用の取引表示が視認可能に構成されているとともに、前記現金処理機は一つの表示部を備え、該表示部は占有するテラーの位置からは占有するテラー用の表示が視認可能であり、占有しないテラーの位置からは占有しないテラー用の表示が視認可能に構成されていることを特徴とする現金処理システム。
【請求項５】
２台の操作制御部と１台の取引表示部と１台の表示部と１台の現金処理機とを備え、前記現金処理機が複数のテラーによって共用可能であるとともに、これらテラーに択一的に占有される状態が生じる現金処理システムであって、前記取引表示部は、右テラーの位置からは当該右テラー用の取引表示が視認可能であるとともに、左テラーの位置からは当該左テラー用の取引表示が視認可能に構成されているとともに、前記表示部は、占有するテラーの位置からは占有するテラー用の表示が視認可能であり、占有しないテラーの位置からは占有しないテラー用の表示が視認可能に構成されていることを特徴とする現金処理システム。
【発明の詳細な説明】
【技術分野】
【０００１】
この発明は、銀行等の金融機関で使用され、少なくとも２人のテラーで共用される現金処理機を備えた現金処理システムに関する。
【背景技術】
【０００２】
従来、銀行等の金融機関で使用され、二人のテラーによって択一的に出金操作可能な現金処理機においては、誤操作を防止すべく各テラー毎に、表示部を備えた専用の操作卓を設けたものがある（例えば、特許文献１参照）。
また、二人のテラーによって共用される現金処理機に、それぞれのテラー用の表示部を略左右対称位置に設け、占有するテラー側の表示内容と占有しないテラー側の表示内容とを適宜切換えて、現在の占有状態を各テラーによって認識可能に構成したものがある（例えば、特許文献２参照）。
さらには、このような現金処理機には、二人のテラーのそれぞれによって、種々の取引データを与えるテラーズマシンが設けられており、このテラーズマシンに、それぞれ、操作部、表示部、制御部が設けられているものがある（例えば、特許文献１参照）。
【特許文献１】特公昭６０−０５４７１２号公報
【特許文献２】特開２０００−０１１２３１号公報
【発明の開示】
【発明が解決しようとする課題】
【０００３】
しかしながら、上述した従来の現金処理システムでは、複数の表示部を設けているため、部品点数が増加して配置自由度が低下してしまうという課題がある。
また、とりわけ現金処理機に複数の表示部を設けている場合には、スペースの都合上表示部の大型化が困難であり、一つの表示部における表示項目を制限せざるを得ないという課題がある。
さらには、種々の取引データを与えるテラーズマシンには、１台ごとに、操作部、表示部、制御部が設けられて大型化し、机上のスペースを大きく取ってしまうという課題もある。
【０００４】
本発明は、これら課題に鑑みてなされたもので、表示部の配置自由度を向上するとともに、表示項目の増加を図ることができる現金処理システムを提供することを目的としている。
【課題を解決するための手段】
【０００５】
上記の課題を解決するために、請求項１に記載した発明は、２台の操作卓（例えば、実施の形態におけるテラーズマシン６１Ａ，６１Ｂ）と１台の現金処理機（例えば、実施の形態における貨幣処理機１）とを備え、前記現金処理機が複数のテラーによって共用可能であるとともに、これらテラーに択一的に占有される状態が生じる現金処理システムにおいて、前記現金処理機は一つの表示部（例えば、実施の形態における表示パネル５１）を備え、該表示部は占有するテラーの位置からは占有するテラー用の表示が視認可能であり、占有しないテラーの位置からは占有しないテラー用の表示が視認可能に構成されていることを特徴とする。
このように構成することで、現金処理機に設けられた１つの表示部によって２方向に異なる画像を表示することができ、例えば、現金処理機を挟んでテラーが位置している場合、一方のテラーによって現金処理機が占有されている場合、この一方のテラーに対しては占有するテラー用の画像を表示し、他方の占有しないテラーに対しては占有しないテラー用の画像を表示することができる。
【０００６】
請求項２に記載した発明は、２台の操作卓（例えば、実施の形態におけるテラーズマシン６１Ａ，６１Ｂ）と１台の表示部（例えば、実施の形態における表示パネル１５１）と１台の現金処理機（例えば、実施の形態における貨幣処理機１００）とを備え、前記現金処理機が複数のテラーによって共用可能であるとともに、これらテラーに択一的に占有される状態が生じる現金処理システムにおいて、前記表示部は、占有するテラーの位置からは占有するテラー用の表示が視認可能であるとともに、占有しないテラーの位置からは占有しないテラー用の表示が視認可能に構成されていることを特徴とする。
このように構成することで、例えば、現金処理機を挟んで左右にそれぞれテラーが位置し、各テラーの間に表示部を配置している場合、現金処理機を占有する一方のテラーからは占有するテラー用の表示を視認することができ、他方の占有しないテラーからは占有しないテラー用の表示を視認することができる。
【０００７】
請求項３に記載した発明は、２台の操作制御部（例えば、実施の形態における操作制御部２０１Ａ，２０１Ｂ）と１台の取引表示部（例えば、実施の形態における表示パネル３００）と１台の現金処理機（例えば、実施の形態における貨幣処理機１）とを備え、前記現金処理機が複数のテラーによって共用可能であるとともに、これらテラーに択一的に占有される状態が生じる現金処理システムであって、前記取引表示部は、右テラーの位置からは当該右テラー用の取引表示が視認可能であるとともに、左テラーの位置からは当該左テラー用の取引表示が視認可能に構成されていることを特徴とする。
このように構成することで、例えば、現金処理機を挟んで左右にそれぞれテラーが位置し、各テラーの間に取引表示部を配置している場合、右テラーからは当該右テラー用の取引表示を視認することができ、左テラーからは当該左テラー用の取引表示を視認することができる。
【０００８】
請求項４に記載した発明は、２台の操作制御部と１台の取引表示部と１台の現金処理機とを備え、前記現金処理機が複数のテラーによって共用可能であるとともに、これらテラーに択一的に占有される状態が生じる現金処理システムであって、前記取引表示部は、右テラーの位置からは当該右テラー用の取引表示が視認可能であるとともに、左テラーの位置からは当該左テラー用の取引表示が視認可能に構成されているとともに、前記現金処理機は一つの表示部を備え、該表示部は占有するテラーの位置からは占有するテラー用の表示が視認可能であり、占有しないテラーの位置からは占有しないテラー用の表示が視認可能に構成されていることを特徴とする。
このように構成することで、例えば、現金処理機を挟んで左右にそれぞれテラーが位置し、各テラーの間に取引表示部を配置している場合、右テラーからは当該右テラー用の取引表示を視認することができ、左テラーからは当該左テラー用の取引表示を視認することができるとともに、現金処理機に設けられた１つの表示部によって２方向に異なる画像を表示することができ、例えば、現金処理機を挟んでテラーが位置している場合、一方のテラーによって現金処理機が占有されている場合、この一方のテラーに対しては占有するテラー用の画像を表示し、他方の占有しないテラーに対しては占有しないテラー用の画像を表示することができる。
【０００９】
請求項５に記載した発明は、２台の操作制御部と１台の取引表示部と１台の表示部と１台の現金処理機とを備え、前記現金処理機が複数のテラーによって共用可能であるとともに、これらテラーに択一的に占有される状態が生じる現金処理システムであって、前記取引表示部は、右テラーの位置からは当該右テラー用の取引表示が視認可能であるとともに、左テラーの位置からは当該左テラー用の取引表示が視認可能に構成されているとともに、前記表示部は、占有するテラーの位置からは占有するテラー用の表示が視認可能であり、占有しないテラーの位置からは占有しないテラー用の表示が視認可能に構成されていることを特徴とする。
このように構成することで、例えば、現金処理機を挟んで左右にそれぞれテラーが位置し、各テラーの間に取引表示部を配置している場合、右テラーからは当該右テラー用の取引表示を視認することができ、左テラーからは当該左テラー用の取引表示を視認することができ、また、各テラーの間に表示部を配置している場合、現金処理機を占有する一方のテラーからは占有するテラー用の表示を視認することができ、他方の占有しないテラーからは占有しないテラー用の表示を視認することができる。
【発明の効果】
【００１０】
請求項１に記載した発明によれば、現金処理機に設けられた１つの表示部によって２方向に異なる画像を表示することができ、例えば、現金処理機を挟んでテラーが位置している場合、一方のテラーによって現金処理機が占有されている場合、この一方のテラーに対しては占有するテラー用の画像を表示し、他方の占有しないテラーに対しては占有しないテラー用の画像を表示することができる。したがって、従来２つ設けていた表示部を１つにすることができるので部品点数を低減することができる効果がある。
また、従来２つ設けていた表示部を１つの表示部にすることで、１つの画像の大きさを相対的に拡大することができるので、視認性を低下させることなく画像に含まれる表示項目を増加させることができ、商品性を向上させることができる効果がある。
【００１１】
請求項２に記載した発明によれば、例えば、現金処理機を挟んで左右にそれぞれテラーが位置し、各テラーの間に表示部を配置している場合、現金処理機を占有する一方のテラーからは占有するテラー用の表示を視認することができ、他方の占有しないテラーからは占有しないテラー用の表示を視認することができる。したがって、従来テラー毎に個別に設けていた表示部を１つにすることができるので部品点数を低減することができる。
【００１２】
請求項３に記載した発明によれば、例えば、現金処理機を挟んで左右にそれぞれテラーが位置し、各テラーの間に取引表示部を配置している場合、右テラーからは当該右テラー用の取引表示を視認することができ、左テラーからは当該左テラー用の取引表示を視認することができる。したがって、従来テラー毎に個別に設けていたテラーズマシンの表示部を１つにすることができるので部品点数を低減することができる。もしくは、机上スペースを共用できるので、大型の取引表示部を採用することができる。加えて、各テラーの前には、操作制御部のみとなるため、小型となり、机上スペースを広く取ることができることになる。
【００１３】
請求項４に記載した発明によれば、例えば、現金処理機を挟んで左右にそれぞれテラーが位置し、各テラーの間に取引表示部を配置している場合、右テラーからは当該右テラー用の取引表示を視認することができ、左テラーからは当該左テラー用の取引表示を視認することができるとともに、現金処理機に設けられた１つの表示部によって２方向に異なる画像を表示することができ、例えば、現金処理機を挟んでテラーが位置している場合、一方のテラーによって現金処理機が占有されている場合、この一方のテラーに対しては占有するテラー用の画像を表示し、他方の占有しないテラーに対しては占有しないテラー用の画像を表示することができる。したがって、従来テラー毎に個別に設けていたテラーズマシンの表示部を１つにすることができるので部品点数を低減することができる。もしくは、机上スペースを共用できるので、大型の取引表示部を採用することができる。加えて、各テラーの前には、操作制御部のみとなるため、小型となり、机上スペースを広く取ることができることになる。また、従来２つ設けていた現金処理機の表示部を１つにすることができるので部品点数を低減することができる効果がある。
さらにまた、従来２つ設けていた現金処理機の表示部を１つの表示部にすることで、１つの画像の大きさを相対的に拡大することができるので、視認性を低下させることなく画像に含まれる表示項目を増加させることができ、商品性を向上させることができる効果がある。
【００１４】
請求項５に記載した発明によれば、例えば、現金処理機を挟んで左右にそれぞれテラーが位置し、各テラーの間に取引表示部を配置している場合、右テラーからは当該右テラー用の取引表示を視認することができ、左テラーからは当該左テラー用の取引表示を視認することができ、また、各テラーの間に表示部を配置している場合、現金処理機を占有する一方のテラーからは占有するテラー用の表示を視認することができ、他方の占有しないテラーからは占有しないテラー用の表示を視認することができる。したがって、従来テラー毎に個別に設けていたテラーズマシンの表示部を１つにすることができるので部品点数を低減することができる。もしくは、机上スペースを共用できるので、大型の取引表示部を採用することができる。加えて、各テラーの前には、操作制御部のみとなるため、小型となり、机上スペースを広く取ることができることになる。また、従来テラー毎に個別に設けていた現金処理機の表示部を１つにすることができるので部品点数を低減することができる。
【発明を実施するための最良の形態】
【００１５】
次に、本発明の現金処理システムの第１の実施の形態を図面に基づいて説明する。
この第１の実施の形態の現金処理システムは、紙幣を受け入れるとともに必要に応じて繰り出すいわゆる紙幣入出金機として貨幣処理機（現金処理機）１を備えている。この貨幣処理機１は、例えば、銀行などの金融機関に設置されるものであり、機体に対し左右それぞれにテラーＬＴ，ＲＴ（図２参照）が位置してこれら二人のテラーＬＴ，ＲＴで共用可能とされており、これらテラーＬＴ，ＲＴのいずれかに択一的に占有される状態が生じるものである。すなわち、一方のテラー（例えばテラーＬＴ）により占有された状態では、この一方のテラーによる使用のみが可能とされ、他方のテラー（例えばＲＴ）による使用が不可とされて、逆に他方のテラーにより占有された状態では、該他方のテラーによる使用のみが可能とされ一方のテラーによる使用が不可とされる。
【００１６】
この貨幣処理機１は、図１に示すように、その機体前面側に、外部から入金紙幣が投入される入金口２と、外部に対し出金紙幣およびリジェクト紙幣を繰り出させる出金／リジェクト口３とがそれぞれ一つずつ設けられている。そして、機体前面側の出金／リジェクト口３に対し上方の機体上面側の前部には操作・表示部４が設けられている。
【００１７】
ここで、入金口２には、外部から入金処理しようとする紙幣が集積状態でテラーにより投入されることになり、該紙幣は繰出機構（図示せず）により１枚ずつ繰り出されて機体内部の搬送路（図示せず）に送られるようになっている。搬送路は、入金口２と出金／リジェクト口３とを接続させるもので、その途中には紙幣の金種、真偽、斜め送り、多重送りなどを鑑別する入出金鑑別部（図示せず）が設けられており、入金口２から入金された入金紙幣の中で、入出金鑑別部により正常紙幣以外の、偽券、斜め送りおよび多重送り等のリジェクト紙幣と鑑別された紙幣を出金／リジェクト口３から外部に払い戻すようになっている。一方、入出金鑑別部により正常紙幣と鑑別され各金種別に計数された紙幣は一時貯留されてオペレータ（占有中のテラー）が入金確定操作後に金種別スタッカ（図示せず）などに収納される。そして、金種別スタッカなどに収納された紙幣は、必要に応じて出金用紙幣として利用されるようになっている。
【００１８】
上述した操作・表示部４の各テラーＬＴ，ＲＴに近接する部分には、それぞれのテラーＬＴ，ＲＴによって操作が行われるスタートスイッチ５２Ａ，５２Ｂが設けられている。より具体的には、操作・表示部４の左前側には、貨幣処理機の左側に位置するテラーＬＴによって操作されるスタートスイッチ５２Ａが配置され、一方、操作・表示部４の右前部には、貨幣処理機１の右側に位置するテラーＲＴによって操作されるスタートスイッチ５２Ｂが配置されている。これらスタートスイッチ５２Ａ，５２Ｂは入金処理および出金処理を開始させる際に必要に応じて操作入力がなされるものである。なお、操作・表示部４には、上記スタートスイッチ５２Ａ．５２Ｂの他に、例えば、エラー発生時に、このエラーを解除させる際に操作入力がなされるリセットボタンや、入金処理時に一時貯留された紙幣に対しこれを収納させずに返却させる際に操作入力がなされる回収ボタンなど各種スイッチ類を設けるようにしてもよい。
【００１９】
さらに、上記操作・表示部４には、長手方向が貨幣処理機１の左右幅方向に沿う略矩形の表示パネル（表示部）５１が配置され、この表示パネル５１の画面表面と操作・表示部４の上面とが面一に設定されている。この表示パネル５１は、液晶等、ディスプレイ画素によって画像を表示する画像表示デバイスと、この画像表示デバイスよりも前面に複数のスリットが形成されたいわゆる視差バリアを備え、異なる２方向に個別に全画面画像を表示可能な、いわゆるマルチビュータイプの表示パネルである。このマルチビュータイプの表示パネル５１は、貨幣処理機１の左右に位置するテラーＬＴ，ＲＴに対してそれぞれ異なる画像が表示できるように、それぞれの画像の視認可能な角度が左右対称な所定角度に設定されている。すなわち、左側のテラーＬＴからは右側テラー用の画像は視認することができないようになっており、また、右側のテラーＲＴからは左側テラー用の画像は視認することができないようになっている。
【００２０】
より具体的には、図２に示すように、銀行などの金融機関に設けられた窓口カウンターの長机Ｄの下方に設置された貨幣処理機１は、前述した操作・表示部４が設けられた貨幣処理機１の前面側の一部分が長机Ｄの下方から手前側に突出配置されており、この操作・表示部４を挟んだ左右両側には、左側のテラーＬＴおよび右側のテラーＲＴがそれぞれ位置し、この操作・表示部４の操作・視認が可能となっている。
【００２１】
このとき、それぞれ異なる画像が視認可能な位置として、操作・表示部４の表示パネル５１の中央位置を基準として、左右対称となるように右側のテラーＲＴの想定位置と左側のテラーＬＴの想定位置とがそれぞれ設定されている。つまり、表示パネル５１の中央位置およびテラーＲＴの想定位置を結んだ線と、表示パネル５１の左右方向に沿う線とのなす角度が、表示パネル５１の中央位置およびテラーＬＴの想定位置を結んだ線と、表示パネル５１の左右方向に沿う線とのなす角度と等しくなるように左右対称になっている。
【００２２】
表示パネル５１を右側のテラーＲＴの想定位置から見ると右側テラー用画像が視認でき、一方、左側のテラーＬＴの想定位置から見ると左側テラー用画像が視認できる。そして、これら右側テラー用画像と左側テラー用画像とは視認可能なそれぞれの位置から同時に視認可能となっている。なお、右側テラー用画像および左側テラー用画像の視認可能な角度は一義的なものではなく、テラーＲＴ，ＬＴの想定位置を中心に所定の範囲で視認可能とされているため、テラーＲＴ，ＬＴの位置が多少ずれたとしてもそれぞれの画像が視認不能となることはない。また、表示パネル５１の画面表面と操作・表示部４の上面とが面一の場合について説明したが、例えば、表示パネル５１の手前側の一辺をヒンジを介して操作・表示部４に接続するように構成し、表示パネル５１を操作・表示部４に対して揺動自在に設けてもよい。
【００２３】
図３に示すように、貨幣処理機１には、その左側に配置されて左側のテラーで操作される上位機であるテラーズマシン（操作卓）６１Ａと、その右側に配置されて右側のテラーで操作される上位機であるテラーズマシン（操作卓）６１Ｂとが、貨幣処理機１の制御部６０に接続されており、この制御部６０は、各テラーＬＴ，ＲＴがテラーズマシン６１Ａ，６１Ｂのうちいずれかの対応するものを操作することによってこれらから出力される、出金指令信号、または入金処理における入金金額の確認信号等の信号を受け入れたり、必要な信号をテラーズマシン６１Ａ，６１Ｂに出力させたりする。なお、制御部６０は、ＣＰＵ６０ａと、制御プログラム等が記憶されたＲＯＭ６０ｂと、計数値等を記憶させるＲＡＭ６０ｃとから構成されている。また、いずれのテラーズマシン６１Ａ，６１Ｂも、図示しないＣＰＵとＲＯＭとＲＡＭから構成される制御部６１Ａ１，６１Ｂ１と、操作部６１Ａ２，６１Ｂ２と、表示部６１Ａ３，６１Ｂ３とから構成され、入出金に関わる取引処理がなされるように構成されているものである。
【００２４】
ここで、出金／リジェクト口３に設けられて該出金／リジェクト口３に繰り出された紙幣の存在を検出する出金／リジェクト口センサ６３が、制御部６０に接続されており、この制御部６０には、それ以外にも各種センサ６２が接続されている。この各種センサ６２には、貨幣処理機１の筐体に設けられ金種別スタッカなどの各スタッカのセットの有無を検出するセンサ、各スタッカおよび搬送路における紙幣の不要な残留を検出するセンサ等がある。また、制御部６０には、前述したスタートスイッチ５２Ａ，５２Ｂが接続されている。なお、貨幣処理機１には、貨幣の入出金処理を行うための駆動機構が存在するが、このブロック図においては、敢えて記載していない。
【００２５】
次に、制御部６０で制御される表示パネル５１の表示内容について、特に、左右いずれかのテラーＬＴ，ＲＴによって出金操作がなされ貨幣処理機１が占有状態となる場合の一例について説明する。
まず、貨幣処理機１の主電源を立ち上げイニシャル状態後の待機状態から、例えば、左側のテラーＬＴが出金処理を行う場合には、左側のテラーＬＴがテラーズマシン６１Ａを操作して、出金指令および出金データを制御部６０に出力させる。すると、制御部６０は、貨幣処理機１を左側のテラーＬＴの占有状態（すなわち、左側のテラー専用のテラーズマシン６１Ａおよび左側のテラー専用のスタートスイッチ５２Ａの出力は受け入れるものの、右側のテラー専用のテラーズマシン６１Ｂおよび右側のテラー専用のスタートスイッチ５２Ｂからの出力は受け入れない状態）とする。そして、占有中の表示として、表示パネル５１の左側テラー用の画像として、そのときの状態を示す状態メッセージである、出金されている金額もしくは紙幣の枚数等の出金時文字情報（表示内容，文字情報）をメイン表示として表示させるとともに、機体外郭とその内側の各スタッカと各搬送路とを図形で表わした貨幣処理機１の概略構成図を出金時イラスト情報（表示内容，イラスト情報）として補助的に表示させる。このとき、表示パネルの右側テラー用の画像としては、現在左側のテラーＬＴによって占有状態にある旨のメッセージ（例えば、「ＬＴ占有中」など）を表示させる。そして、これらの表示を行わせながら、左側のテラーズマシン６１Ａから出力された出金データに基づく所要の紙幣を出金／リジェクト口３に繰り出させる。ここで、上記出金時イラスト情報では、機体外郭内に現金処理機の各搬送路や各スタッカの配置に対応した識別情報（識別番号）が表示されるようになっており、例えば、エラー発生時やジャム時などに、エラーが発生したりジャムが発生している異常箇所に対応する識別情報（識別番号）を点滅表示や強調表示するようになっている（後述する入金時イラスト情報も同様）。
【００２６】
そして、左側のテラーズマシン６１Ａから出力された出金データに基づく所要の紙幣をすべて出金／リジェクト口３に繰り出させ、該紙幣が出金／リジェクト口３からテラーＬＴにより取り出され、出金／リジェクト口センサ６３の紙幣検出が有から無へ変化すると、制御部６０は、左側のテラーＬＴの占有状態を解除して、貨幣処理機１を待機状態（すなわち、テラーズマシン６１Ａ，６１Ｂのいずれか一方、あるいは操作・表示部４のスタートスイッチ５２Ａ，５２Ｂのいずれか一方から出力を受け入れ可能な状態）とするとともに、表示パネル５１の左側テラー用の画像と右側テラー用の画像との両方に、貨幣処理機が待機状態であることを示す待機時イラスト情報を表示させる。
【００２７】
一方、待機状態から、右側のテラーＲＴが出金処理を行う場合には、右側のテラーＲＴがテラーズマシン６１Ｂを操作して、出金指令および出金データを制御部６０に出力させる。すると、制御部６０は、貨幣処理機１を右側のテラーＲＴの占有状態（すなわち、右側のテラー専用のテラーズマシン６１Ｂおよび右側のテラー専用のスタートスイッチ５２Ｂからの出力は受け入れるものの、左側のテラー専用のテラーズマシン６１Ａおよび左側のテラー専用のスタートスイッチ５２Ａからの出力は受け入れない状態）とする。そして、占有中の表示として、表示パネル５１の右側テラー用の画像として、そのときの状態を示す状態メッセージである、出金されている金額もしくは紙幣の枚数等の出金時文字情報（表示内容，文字情報）をメイン表示として表示させるとともに、機体外郭とその内側の各スタッカと各搬送路とを図形で表わした貨幣処理機１の概略構成図を出金時イラスト情報（表示内容，イラスト情報）として補助的に表示させる。このとき表示パネルの左側テラー用の画像としては、現在右側のテラーによって占有状態にある旨のメッセージ（例えば、「ＲＴ占有中」など）を表示させる。そして、これらの表示を行わせながら、右側のテラーズマシン６１Ｂから出力された出金データに基づく所要の紙幣を出金／リジェクト口３に繰り出させる。
【００２８】
そして、右側のテラーズマシン６１Ｂから出力された出金データに基づく所要の紙幣をすべて出金／リジェクト口３に繰り出させ、該紙幣が出金／リジェクト口３からテラーＲＴにより取り出され、出金／リジェクト口センサ６３の紙幣検出が有から無へ変化すると、制御部６０は、右側のテラーＲＴの占有状態を解除して、貨幣処理機１を待機状態とするとともに、表示パネル５１の左側テラー用の画像および右側テラー用の画像の両方に、待機時イラスト情報を表示させる。
【００２９】
以上のように、出金処理時において、制御部６０は、表示パネル５１の表示内容として、占有されたテラー用の画像としてメインの出金時文字情報を表示させるとともに、補助的な出金時イラスト情報を表示させ、このとき、占有しないテラー用の画像として。現在他のテラーによって占有状態にある旨の表示を行っている。このように表示パネル５１を挟んで左右に位置する各テラーＬＴ，ＲＴから個別に視認可能な各画像を適宜切換えているため、二人のテラーＬＴ，ＲＴが良好な表示視認性を得ることができ、同等かつ良好な扱い易さを得ることができる。また、占有していないテラー用の画像として他のテラーが占有状態にある旨のメッセージを表示するため、他のテラーにより占有中である場合における自己の処理を断念させる抑止効果を生じさせることができる。加えて、他のテラーにより占有された状態において、自己の出金のための出力を行いこれが受け入れられたと勘違いしたとしても、上記のように左右いずれのテラーに貨幣処理機１が占有中であるかを認識させることができるため、他のテラーによる出金処理による紙幣を、間違えて取り出してしまうことを防止できる。
【００３０】
次に、左右いずれかのテラーによって入金操作がなされ貨幣処理機１が占有状態となる場合の一例について説明する。
まず、左側のテラーＬＴが入金処理を行う場合、左側のテラーＬＴは、入金口２に入金処理する紙幣をセットし、操作・表示部４の左側のスタートスイッチ５２Ａを押圧操作する。すると、スタートスイッチ５２Ａから信号を受けた制御部６０は、貨幣処理機１を左側のテラーＬＴの占有状態とする。そして、占有中の表示として、表示パネル５１に左側テラー用の表示としてそのときの状態を示す状態メッセージである、入金されていく金額もしくは紙幣の枚数等を文字で表した入金時文字情報（表示内容，文字情報）をメイン表示として表示させるとともに、例えば、機体外郭とその内側の各スタッカと各搬送路とを図形で表わした貨幣処理機１の概略構成図を入金時イラスト情報（表示内容，イラスト情報）として補助的に表示させる。このとき表示パネルの右側テラー用の画像としては、左側のテラーＬＴが占有状態にある旨のメッセージ（例えば、「ＬＴ占有中」など）を表示させる。そして、これらの表示を行わせながら、入金口２にセットされた紙幣を取り込み、入出金鑑別部で金種等を鑑別しつつ計数して一時貯留させる。
【００３１】
ここで、入金口２から取り込まれた紙幣の中で入出金鑑別部により偽および鑑別不可能と判別された紙幣は、出金／リジェクト口３に繰り出されることになり、該出金／リジェクト口３に紙幣が繰り出されると、出金／リジェクト口センサ６３が該紙幣を検出する。すると、この出金／リジェクト口センサ６３からの信号を受けて、制御部６０は、左側テラー用に表示された入金時イラスト情報の出金／リジェクト口３の識別情報（識別番号）のみを点灯させて出金／リジェクト口３にリジェクト紙幣があることを知らせることになる。そして、該出金／リジェクト口３から紙幣が抜き取られると、出金／リジェクト口センサ６３からの信号を受けて、制御部６０は、左側テラー用に表示された入金時イラスト情報の出金／リジェクト口３の識別情報（識別番号）を消灯させる。
【００３２】
入金口２の紙幣がすべて取り込まれ一時貯留部に一時貯留された状態となると、制御部６０は、入出金鑑別部の鑑別結果に基づき計算された入金金額データを文字で表した、入金時文字情報に含まれる入金金額文字情報を、表示パネル５１の左側テラー用の画像あるいは左側のテラーズマシン６１Ａに出力して表示させる。そして、この表示に基づいて左側のテラーＬＴが左側のテラーズマシン６１Ａに確認の操作入力を行うと、制御部６０は、入金を確定し、一時貯留させていた紙幣を金種別スタッカなどに収納させる。そして、制御部６０は、左側のテラーＬＴの占有状態を解除して、貨幣処理機１を待機状態とするとともに、表示パネル５１の左側テラー用の画像および右側テラー用の画像に、待機時イラスト情報を表示させる。
【００３３】
一方、待機状態から、右側のテラーＲＴが入金処理を行う場合、右側のテラーＲＴは、入金口２に入金処理する紙幣をセットし、右側の操作・表示部４のスタートスイッチ５２Ｂを押圧操作する。すると、スタートスイッチ５２Ｂから信号を受けた制御部６０は、出金処理時と同様に貨幣処理機１を右側のテラーＲＴの占有状態とする。そして、占有中の表示として、表示パネル５１の右側テラー用の画像に、そのときの状態を示す状態メッセージである、入金されていく金額もしくは紙幣の枚数等を文字で表した入金時文字情報（表示内容，文字情報）をメイン表示として表示させるとともに、機体外郭とその内側の各スタッカと各搬送路とを図形で表わした貨幣処理機１の概略構成図を入金時イラスト情報（表示内容，イラスト情報）として補助的に表示させる。このとき表示パネルの左側テラー用の画像としては、右側側のテラーＲＴが占有状態にある旨のメッセージ（例えば、「ＲＴ占有中」など）を表示させる。そして、これらの表示を行わせながら、入金口２にセットされた紙幣を取り込み、入出金鑑別部で金種等を鑑別しつつ計数して一時貯留させる。
【００３４】
ここで、左側のテラーＬＴの場合と同様に、入金口２から取り込まれた紙幣の中で入出金鑑別部により偽および鑑別不可能と判別された紙幣は、出金／リジェクト口３に繰り出されることになり、該出金／リジェクト口３に紙幣が繰り出されると、該紙幣を出金／リジェクト口センサ６３が検出する。すると、この出金／リジェクト口センサ６３からの信号を受けて、制御部６０は、表示パネル５１の右側テラー用の画像として表示された入金時イラスト情報の出金／リジェクト口３の識別情報（識別番号）を点灯させて出金／リジェクト口３にリジェクト紙幣があることを知らせることになる。そして、該出金／リジェクト口３から紙幣が抜き取られると、出金／リジェクト口センサ６３からの信号を受けて、制御部６０は、表示パネル５１の右側テラー用に表示された入金時イラスト情報の出金／リジェクト口３の識別情報（識別番号）を消灯させる。
【００３５】
入金口２の紙幣がすべて取り込まれ一時貯留された状態となると、制御部６０は、入出金鑑別部の鑑別結果に基づき計算された入金金額データを文字で表した、入金時文字情報に含まれる入金金額文字情報を、表示パネル５１の右側テラー用の画像あるいは右側のテラーズマシン６１Ｂに出力して表示させる。そして、この表示に基づいて右側のテラーＲＴが右側のテラーズマシン６１Ｂに確認の操作入力を行うと、制御部６０は、入金を確定し、一時貯留されていた紙幣を収納させる。そして、制御部６０は、右側のテラーＲＴの占有状態を解除して、貨幣処理機１を待機状態とするとともに、制御部６０は、表示パネル５１の左側テラー用の画像および右側テラー用の画像に、上記した待機時イラスト情報を表示させる。
【００３６】
なお、一方のテラーで占有状態にあって出金処理あるいは入金処理を行っている最中に、他方のテラーから出金処理あるいは入金処理の指令およびデータが出力された場合に、制御部６０では、この指令およびデータを予約データとして記憶しておき、実行中の出金処理あるいは入金処理が終了して占有状態が解除されると、自動的にこの指令およびデータに基づいて処理を行うようにしてもよい。
【００３７】
以上のように、入金処理時においても、制御部６０は、表示パネル５１の表示内容として、占有されたテラー用の画像として、メインの入金時文字情報を表示させるとともに、補助的な入金時イラスト情報を表示させ、占有していないテラー用の画像として、他のテラーが貨幣処理機を占有中である旨のメッセージを表示することで、二人のテラーが良好な表示視認性を得ることができ、同等かつ良好な扱い易さを得ることができる。また、占有していないテラー用の画像に他のテラーが占有中である旨のメッセージを表示するので、左右いずれのテラーに貨幣処理機１が占有中であるかを認識させることができるため、他のテラーにより占有中である場合における自己の処理を断念させる抑止効果を生じさせることができるとともに、他のテラーにより占有された状態において該他のテラーが入金確認の操作を行う前に、入金口２に紙幣がなくなったことから入金口２に別の入金処理の紙幣を新たにセットしてしまうことを防止できる。
【００３８】
したがって、上述した第１の実施の形態によれば、貨幣処理機１に設けられた１つの表示パネル５１によって２方向に異なる画像を表示することができ、例えば、貨幣処理機１を挟んで左右にテラーＬＴ，ＲＴが位置し、左側のテラーＬＴによって貨幣処理機１が占有されている場合、左側のテラーＬＴに対しては占有するテラー用の画像を表示することができ、他方の占有しない右側のテラーＲＴに対しては占有しないテラー用の画像を表示することができるため、従来２つ設けていた表示パネルを１つにすることができ、この結果、部品点数を低減することができる。
【００３９】
また、従来複数設けていた表示パネルを１つの表示パネル５１にすることで、１つの画像の大きさを相対的に拡大することができるので、視認性を低下させることなく画像に含まれる表示項目を増加させることができ、商品性を向上させることができる。
【００４０】
次に、本発明の現金処理システムの第２の実施の形態を図面に基づいて説明する。なお、この第２の実施の形態では、上述した第１の実施の形態の貨幣処理機１の操作・表示部４に設けられていた表示パネル５１を貨幣処理機１とは個別に設けたものであり、表示パネルの配置以外の構成は前述した第１の実施の形態と同様であるため、同一部分に同一符号を付して説明すると共に、重複する説明を省略する。
【００４１】
図４に示すように、第２の実施の形態の現金処理システムは、第１の実施の形態と同様に、銀行等の金融機関のカウンターＣに設けられており、紙幣を受け入れると共に必要に応じて繰り出すいわゆる紙幣入出金機としての貨幣処理機（現金処理機）１００を備えている。この貨幣処理機１００はカウンターＣの下方の床上に配置されており、この貨幣処理機１００の機体に対して左右それぞれにテラーＬＴが使用するデスクＤＬと、テラーＲＴが使用するデスクＤＲとが配置されている。この貨幣処理機１００は、その機体の左右に位置する二人のテラーＬＴ，ＲＴで共用可能とされており、これらテラーＬＴ，ＲＴのいずれかに択一的に占有される状態が生じるものである。
【００４２】
貨幣処理機１００には、第１の実施の形態と同様に、その機体前面側に、外部から入金紙幣が投入される入金口２と、外部に対し出金紙幣およびリジェクト紙幣を繰り出させる出金／リジェクト口３とがそれぞれ一つずつ設けられている。そして、図５に示すように、この貨幣処理機１００の筐体内部には、ＣＰＵ６０ａ、ＲＡＭ６０ｃおよびＲＯＭ６０ｂを備える制御部６０が設けられており、この制御部６０に、上位機であり各デスクＤＲ，ＤＬ上にそれぞれ配置された左側テラー用のテラーズマシン（操作卓）６１Ａと右側テラー用のテラーズマシン（操作卓）６１Ｂとがそれぞれ接続されている。ここで、制御部６０には、テラーズマシン６１Ａ，６１Ｂの他に、上述した第１の実施の形態と同様に、スタートスイッチ５２Ａ，５２Ｂ、各種センサ６２および出金／リジェクト口センサ６３が接続されている。ここで、スタートスイッチ５２Ａ，５２Ｂは、貨幣処理機１００の機体前面の左右上部にそれぞれ設けられている（図４参照）。なお、これらテラーズマシン６１Ａ，６１Ｂ、スタートスイッチ５２Ａ，５２Ｂ、各種センサ６２および出金／リジェクト口センサ６３については、第１の実施の形態と同様であるため詳細説明を省略する。
【００４３】
ところで、デスクＤＲとデスクＤＬとは連続して一体的に形成された天板を備えており、貨幣処理機１の上方となる天板Ｔの略中央上面には表示パネル（表示部）１５１が設置されている。この表示パネル１５１は、その画面とカウンターの長手方向に沿う方向とが略平行となるように設置されたものであり、上述した第１の実施の形態と同様に、液晶等のマルチビュータイプの表示パネルとなっている。つまり、このマルチビュータイプの表示パネル１５１は、その中央位置を基準として左右対称となるように左右方向に異なる全画面画像である左側テラー用画像と右側テラー用画像とを表示するように構成され、左側のテラーＬＴの想定位置からは左側テラー用画像が視認可能となっており、右側のテラーＲＴの想定位置からは右側テラー用画像が視認可能となっている。
【００４４】
なお、制御部６０で制御される表示パネル１５１の表示内容については、上述した第１の実施の形態の制御部６０で制御される表示パネル５１の場合と同様であり、重複説明となるためここでの説明を省略する。
【００４５】
したがって、上記第２の実施の形態によれば、貨幣処理機１を挟んで左右にそれぞれテラーＬＴ，ＲＴが位置し、各テラーＬＴ，ＲＴの間に表示パネル１５１を配置しているので、例えば、貨幣処理機１を左側のテラーＬＴが占有する場合は、左側のテラーＬＴからは占有するテラー用画像を視認することができ、占有しない右側のテラーＲＴからは占有しないテラー用画像を視認することができ、一方、貨幣処理機１を右側のテラーＲＴが占有する場合は、右側のテラーＲＴからは占有するテラー用画像を視認することができ、占有しない左側のテラーＬＴからは占有しないテラー用画像を視認することができるため、従来テラーＬＴ，ＲＴ毎に個別に設けていた複数の表示パネルを１つにすることができるので部品点数を低減することができる。
【００４６】
なお、上述した各実施の形態では、貨幣処理機１の待機時に待機時イラスト情報を表示するようにしたが、待機時であることを示す文字情報を表示してもよく、さらに、待機時であることを示すイラスト情報と文字情報との両方を表示するようにしてもよい。
また、占有していないテラー用の表示として他のテラーが占有している旨をメッセージで表示する場合について説明したが、占有してないことが認識できればよく、例えば、占有しているテラー用の表示と同様の表示を、背景色を変えるなどして表示させるようにしてもよい。
【００４７】
次に、本発明の現金処理システムの第３の実施の形態を図面に基づいて説明する。なお、この第３の実施の形態では、上述した第１の実施の形態の各テラーズマシン６１Ａ、６１Ｂを構成する表示部６１Ａ３，６１Ｂ３を、各テラーズマシン６１Ａ、６１Ｂの本体とは個別に、左右のテラーＬＴ、ＲＴによって共用できるように１台の表示パネル（取引表示部）３００を設けたものであり、表示パネルの配置以外の構成は前述した第１の実施の形態と同様であるため、同一部分に同一符号を付して説明すると共に、重複する説明を省略する。
【００４８】
図６に示すように、第３の実施の形態の現金処理システムは、第１の実施の形態と同様に、銀行等の金融機関のカウンターＣに設けられており、紙幣を受け入れると共に必要に応じて繰り出すいわゆる紙幣入出金機としての貨幣処理機（現金処理機）１を備えている。この貨幣処理機１はカウンターＣの下方の床上に配置されており、この貨幣処理機１の機体に対して左右それぞれにテラーＬＴが使用するデスクＤＬと、テラーＲＴが使用するデスクＤＲとが配置されている。この貨幣処理機１は、その機体の左右に位置する二人のテラーＬＴ，ＲＴで共用可能とされており、これらテラーＬＴ，ＲＴのいずれかに択一的に占有される状態が生じるものである。
【００４９】
貨幣処理機１には、第１の実施の形態と同様に、その機体前面側に、外部から入金紙幣が投入される入金口２と、外部に対し出金紙幣およびリジェクト紙幣を繰り出させる出金／リジェクト口３とがそれぞれ一つずつ設けられている。そして、図７に示すように、この貨幣処理機１の筐体内部には、ＣＰＵ６０ａ、ＲＡＭ６０ｃおよびＲＯＭ６０ｂを備える制御部６０が設けられており、この制御部６０に、上位機であり各デスクＤＲ，ＤＬ上にそれぞれ配置された左側テラー用のテラーズマシン（操作卓）１６１Ａと右側テラー用のテラーズマシン（操作卓）１６１Ｂとがそれぞれ接続されている。ここで、制御部６０には、テラーズマシン１６１Ａ，１６１Ｂの他に、上述した第１の実施の形態と同様に、表示パネル５１、スタートスイッチ５２Ａ，５２Ｂ、各種センサ６２および出金／リジェクト口センサ６３が接続されている。ここで、スタートスイッチ５２Ａ，５２Ｂは、貨幣処理機１の機体上面の前部に設けられた操作・表示部４の左右下部、すなわち表示パネル５１下方の左右両側にそれぞれ設けられている（図６参照）。なお、これら表示パネル５１、スタートスイッチ５２Ａ，５２Ｂ、各種センサ６２および出金／リジェクト口センサ６３については、第１の実施の形態と同様であるため詳細説明を省略する。
【００５０】
ところで、テラーＬＴ用のテラーズマシン１６１Ａは、テラーＬＴ専用の操作制御部２０１Ａと、左右のテラーＬＴ，ＲＴ共用の表示パネル（取引表示部）３００で構成され、テラーＲＴ用のテラーズマシン１６１Ｂは、テラーＲＴ専用の操作制御部２０１Ｂと、左右のテラーＬＴ，ＲＴ共用の前記表示パネル（取引表示部）３００で構成されている。いずれの操作制御部２０１Ａ，２０１Ｂも、制御部２０２Ａ，２０２Ｂと、操作部２０３Ａ，２０３Ｂとで構成されるため、小型化されている。これに対して、左右のテラーＬＴ，ＲＴ共用の表示パネル３００は、いずれのテラーＬＴ，ＲＴからも視認しやすいように大型化されている。
【００５１】
ここで、この表示パネル３００は、上述した第１の実施の形態の貨幣処理機１に採用される表示パネル５１と同様に、液晶等のマルチビュータイプの表示パネルとなっている。つまり、このマルチビュータイプの表示パネル３００は、その中央位置を基準として左右対称となるように左右方向に異なる全画面画像である左側テラー用取引処理用の画像と右側テラー用取引処理用の画像とを表示するように構成され、左側のテラーＬＴの想定位置からは左側テラー用画像が視認可能となっており、右側のテラーＲＴの想定位置からは右側テラー用画像が視認可能となっている。
【００５２】
なお、制御部２０２Ａ，２０２Ｂで制御される表示パネル３００の表示内容については、上述した第１の実施の形態のテラーズマシン６１Ａ，６１Ｂの制御部６１Ａ１，６１Ｂ１で制御される表示部６１Ａ３，６１Ｂ３の場合と同様であり、主として、貨幣処理機１による入出金処理に必要な取引データの入力などに必要な情報が表示されるものである。
【００５３】
したがって、上記第３の実施の形態によれば、貨幣処理機１を挟んで左右にそれぞれテラーＬＴ，ＲＴが位置し、各テラーＬＴ，ＲＴの間に共用の表示パネル３００を配置しているので、例えば、左側のテラーＬＴがテラーズマシン１６１Ａを操作して取引データを入力する場合には、左側のテラーＬＴからは左テラー用の取引データ入力用の画像を視認することができ、並行して、右側のテラーＲＴがテラーズマシン１６１Ｂを操作して取引データを入力する場合には、右側のテラーＲＴからは右テラー用の取引データ入力用の画像を視認することができるため、従来テラーＬＴ，ＲＴ毎に個別に設けていたテラーズマシンの表示パネルを１つにすることができるので部品点数を低減することができる。もしくは、机上スペースを共用できるので、大型の表示パネルを採用することができる。加えて、各テラーＬＴ，ＲＴの前には、操作制御部２０１Ａ，２０１Ｂのみとなるため、小型となり、机上スペースを広く取ることができることになる。
【００５４】
加えて、この第３の実施の形態によれば、さらに、第１の実施の形態と同様に、貨幣処理機１の表示パネル５１においても、１つの表示部５１によって２方向に異なる画像を表示することができ、例えば、現金処理機を挟んでテラーＬＴ，ＲＴが位置している場合、一方のテラーによって現金処理機が占有されている場合、この一方のテラーに対しては占有するテラー用の画像を表示し、他方の占有しないテラーに対しては占有しないテラー用の画像を表示することができるので、従来２つ設けていた現金処理機の表示部を１つの表示部５１にすることで、１つの画像の大きさを相対的に拡大することができるので、視認性を低下させることなく画像に含まれる表示項目を増加させることができ、商品性を向上させることができる効果がある。
【００５５】
上記に限らず、さらに、第３の実施の形態と第２の実施の形態とを組み合わせることもでき、例えば、現金処理機を挟んで左右にそれぞれテラーＬＴ，ＲＴが位置し、各テラーＬＴ，ＲＴの間に表示パネル３００を配置している場合、右テラーＲＴからは当該右テラー用の取引表示を視認することができ、左テラーＬＴからは当該左テラー用の取引表示を視認することができ、また、各テラーＬＴ，ＲＴの間に表示パネル１５１を配置している場合、現金処理機を占有する一方のテラーからは占有するテラー用の表示を視認することができ、他方の占有しないテラーからは占有しないテラー用の表示を視認することができる。したがって、従来テラー毎に個別に設けていたテラーズマシンの表示部を１つにすることができるので部品点数を低減することができる。もしくは、机上スペースを共用できるので、大型の表示パネル３００を採用することができる。加えて、各テラーの前には、操作制御部２０１Ａ，２０１Ｂのみとなるため、小型となり、机上スペースを広く取ることができることになる。また、従来テラー毎に個別に設けていた現金処理機の表示部を１つにすることができるので部品点数を低減することができる。
【図面の簡単な説明】
【００５６】
【図１】本発明の第１の実施の形態における貨幣処理機１を示す斜視図である。
【図２】本発明の第１の実施の形態における現金処理システムを示す上面図である。
【図３】本発明の第１の実施の形態における現金処理システムを示すブロック図である。
【図４】本発明の第２の実施の形態における現金処理システムを示す正面図である。
【図５】本発明の第２の実施の形態における現金処理システムを示すブロック図である。
【図６】本発明の第３の実施の形態における現金処理システムを示す正面図である。
【図７】本発明の第３の実施の形態における現金処理システムを示すブロック図である。
【符号の説明】
【００５７】
１，１００  貨幣処理機（現金処理機）
６１Ａ，６１Ｂ  テラーズマシン（操作卓）
５１，１５１  表示パネル（表示部）
１６１Ａ，１６１Ｂ  テラーズマシン
２０１Ａ，２０１Ｂ  操作制御部
３００  表示パネル（取引表示部）
【図１】
2008083907.tif 000003
【図２】
2008083907.tif 000004
【図３】
2008083907.tif 000005
【図４】
2008083907.tif 000006
【図５】
2008083907.tif 000007
【図６】
2008083907.tif 000008
【図７】
2008083907.tif 000009